(57)【要約】【課題】基礎の施工に際し、スリーブの設置を容易かつ適正に実施する。【解決手段】基礎の施工場所には所定間隔を隔てて一対の基礎型枠２７が設置されている。一対の基礎型枠２７の上には、それらに跨るようにしてスリーブ位置決め治具６０が設置されている。スリーブ位置決め治具６０は、上下方向に延びる向きで設けられるスリーブ２５を支持するものであり、そのスリーブ位置決め治具６０の設置状態で、スリーブ２５において基礎から突出する部分がスリーブ位置決め治具６０により支持される。スリーブ位置決め治具６０によりスリーブ２５を支持した状態で、基礎型枠により形成されたコンクリート打設域にコンクリートが打設される。【選択図】      図１
2011246874.tif 000002
【特許請求の範囲】
【請求項１】
上下方向に延びる向きでスリーブが埋設される基礎の施工方法であって、
基礎施工場所に基礎型枠を設置し、
その後、前記基礎型枠の上にスリーブ位置決め治具を設置し、
そのスリーブ位置決め治具の設置状態で、前記スリーブにおいて前記基礎から突出する部分を前記スリーブ位置決め治具により支持させ、
その後、前記基礎型枠により形成されたコンクリート打設域にコンクリートを打設することを特徴とする基礎の施工方法。
【請求項２】
前記スリーブが前記スリーブ位置決め治具により支持された状態で、水平方向と高さ方向との少なくもいずれかで前記スリーブの位置を調整する請求項１に記載の基礎の施工方法。
【請求項３】
前記スリーブ位置決め治具は、所定間隔を隔てて設置される一対の基礎型枠上に跨って設置されるものであり、
前記スリーブ位置決め治具を、前記基礎型枠の上に設置された状態で、前記一対の基礎型枠に対してそれぞれ固定する請求項１又は２に記載の基礎の施工方法。
【請求項４】
コンクリートの打設により形成される建物の基礎において上下方向に延びる向きで埋設されるスリーブの埋設位置を定めるスリーブ位置決め治具であり、
所定間隔を隔てて対向配置される一対の基礎型枠上に跨って設置され、その一対の基礎型枠に対してそれぞれ固定される治具ベースと、
前記治具ベースに一体的に設けられ、前記スリーブにおいて前記基礎から突出する部分を挿通させて支持するスリーブ支持部と、
を備えることを特徴とするスリーブ位置決め治具。
【請求項５】
前記治具ベースは、前記スリーブ支持部を囲む枠形状をなし、前記一対の基礎型枠に架け渡される架け渡し部を有しており、
前記治具ベースと前記スリーブ支持部とが複数のアーム部により連結されている請求項４に記載のスリーブ位置決め治具。
【請求項６】
前記治具ベースと前記複数のアーム部との各連結部分において、その連結位置が前記治具ベースのフレーム長手方向に可変となっている請求項５に記載のスリーブ位置決め治具。
【請求項７】
前記複数のアーム部は、各々にそのアーム長が可変である請求項５又は６に記載のスリーブ位置決め治具。
【請求項８】
前記治具ベースと前記スリーブ支持部とは、その上面が同一面となっている平板材により構成されている請求項４乃至７のいずれか一項に記載のスリーブ位置決め治具。
【請求項９】
アンカーボルトを挿入するアンカーホールが埋設される基礎に適用され、
前記アンカーホールを吊り下げた状態で支持するためのアンカーホール支持部が一体に設けられている請求項４乃至８のいずれか一項に記載のスリーブ位置決め治具。
【請求項１０】
請求項４乃至９のいずれか一項に記載のスリーブ位置決め治具を用いた基礎の施工方法であり、
基礎施工場所に前記一対の基礎型枠を設置し、
その後、前記一対の基礎型枠の上に前記スリーブ位置決め治具を設置し、
そのスリーブ位置決め治具の設置状態で、前記スリーブ支持部に支持されたスリーブの位置調整処理を行い、
その後、前記一対の基礎型枠の間にコンクリートを打設することを特徴とする基礎の施工方法。
【発明の詳細な説明】
【技術分野】
【０００１】
本発明は、基礎の施工方法及びスリーブ位置決め治具に関するものである。
【背景技術】
【０００２】
建物の基礎においてその基礎内にスリーブを埋設し、スリーブに挿通させることにより給排水管などを基礎を貫通した状態で設置する技術が実用化されている。また、スリーブの設置に関して、スリーブの位置決め調整を可能とする技術が各種提案されている。
【０００３】
例えば、スリーブを保持するためのスリーブ保持部と、基礎内の鉄筋に対して固定される固定部とを有し、それらスリーブ保持部と固定部との間の連結部の長さを可変とすることで、スリーブの高さ位置を調整できるスリーブ保持具が提案されている（特許文献１〜３参照）。
【先行技術文献】
【特許文献】
【０００４】
【特許文献１】特開２００６−２４１７５６号公報
【特許文献２】特開２００７−７１０１４号公報
【特許文献３】特開２００８−２５１１５号公報
【発明の概要】
【発明が解決しようとする課題】
【０００５】
ところで、基礎内に配置されるスリーブには、水平方向に延びる向きで設けられるもの以外に、上下方向に延びる向きで設けられるものもある。しかしながら、特許文献１〜３のスリーブ保持具は、水平方向に延びる向きでスリーブを保持するためのものであり、上下方向に延びる向きで設けられるスリーブに用いるには不適であった。すなわち、水平方向に延びる向きでスリーブを保持する場合なら、スリーブ保持具を基礎内の鉄筋に一部を固定し、自重を利用して吊り下げて設ければよいが、上下方向に延びる向きでスリーブを保持する場合には、スリーブ保持具を基礎内で水平方向に固定しなければならず、複数の縦配筋を有していることやその設置間隔が十分に広いこと等の条件が揃った基礎でなければ特許文献１〜３のスリーブ保持具を設置できないという不都合があった。
【０００６】
実際の作業では、上下方向に延びる向きで設けられるスリーブについては、基礎内の立ち上がり配筋や、それとは別に設けられる添え鉄筋等に対して、作業者が結束バンド等を使ってスリーブを個別に接続しているのが実状である。以上から、上下方向に延びる向きで設けられるスリーブの設置技術について改善の余地が存在する。
【０００７】
また、既存の基礎の施工技術は、いずれも基礎内部の鉄筋に対してスリーブ保持具を固定することを前提としており、コンクリートの打設によりスリーブ保持具の位置ずれが生じることが懸念され、さらに、位置ずれが生じてもそれを確認できないという不都合もあった。
【０００８】
本発明は、基礎の施工に際し、スリーブの設置を容易かつ適正に実施することを第１の目的とする。また、上下方向に延びる向きで基礎内に設けられるスリーブに関して、その設置の作業性を向上させしかも同スリーブを好適に支持することのできるスリーブ位置決め治具を提供することを第２の目的とするものである。
【課題を解決するための手段】
【０００９】
以下、上記課題を解決するのに有効な手段等につき、必要に応じて作用、効果等を示しつつ説明する。
【００１０】
第１の発明は、上下方向に延びる向きでスリーブが埋設される基礎の施工方法であって、基礎施工場所に基礎型枠を設置し、その後、前記基礎型枠の上にスリーブ位置決め治具を設置し、そのスリーブ位置決め治具の設置状態で、前記スリーブにおいて前記基礎から突出する部分を前記スリーブ位置決め治具により支持させ、その後、前記基礎型枠により形成されたコンクリート打設域にコンクリートを打設することを特徴とする。
【００１１】
上記の施工方法によれば、スリーブ位置決め治具が基礎型枠の上に設置され、かつスリーブにおいて基礎から突出する部分がスリーブ位置決め治具により支持されるため、基礎の施工に際し、基礎内（コンクリート内）にスリーブ位置決め治具を埋設せずに、スリーブの埋設を行うことができる。この場合、仮にスリーブ保持具を基礎内に埋設する施工方法では、コンクリートの打設により同保持具の位置ずれが生じる可能性があり、位置ずれが生じたことの確認も不可能であるが、基礎型枠の上にスリーブ位置決め治具を設置する施工方法によれば、位置ずれの発生を抑制できる。また、仮に位置ずれが発生してもそれを容易に把握できるため、所望の位置への修正が可能となる。その結果、基礎の施工に際し、スリーブの設置を容易かつ適正に実施することができる。
【００１２】
第２の発明の基礎の施工方法では、前記スリーブが前記スリーブ位置決め治具により支持された状態で、水平方向と高さ方向との少なくもいずれかで前記スリーブの位置を調整する。この場合、水平方向と高さ方向との少なくもいずれかでスリーブの位置を調整することにより、スリーブの正確な位置だしが可能となる。
【００１３】
第３の発明の基礎の施工方法では、前記スリーブ位置決め治具は、所定間隔を隔てて設置される一対の基礎型枠上に跨って設置されるものであり、前記スリーブ位置決め治具を、前記基礎型枠の上に設置された状態で、前記一対の基礎型枠に対してそれぞれ固定する。この場合、スリーブ位置決め治具を設置することで、上記のとおりスリーブの設置が容易になることに加え、セパレータとしての機能を実現できる。つまり、スリーブ位置決め治具の設置作業が、セパレータの設置作業を兼ねていることになる。スリーブ位置決め治具の設置により、コンクリート打設後において一対の基礎型枠の拡がりを抑え、その間隔を一定に保持できる。
【００１４】
第４〜第９の発明は、スリーブ位置決め治具に関するものである。
【００１５】
第４の発明のスリーブ位置決め治具は、コンクリートの打設により形成される建物の基礎において上下方向に延びる向きで埋設されるスリーブの埋設位置を定めるものであり、
所定間隔を隔てて対向配置される一対の基礎型枠上に跨って設置され、その一対の基礎型枠に対してそれぞれ固定される治具ベースと、
前記治具ベースに一体的に設けられ、前記スリーブにおいて前記基礎から突出する部分を挿通させて支持するスリーブ支持部と、
を備えることを特徴とする。
【００１６】
上記のスリーブ位置決め治具は、基礎型枠に対して固定される治具ベースと、その治具ベースに一体化されたスリーブ支持部とを有するものであるため、基礎型枠に対するスリーブの位置決めを容易かつ確実に行うことができる。また、治具ベースは、一対の基礎型枠に対してそれぞれ固定されるため、その治具ベースがセパレータの機能を有することになり、コンクリート打設後において一対の基礎型枠の拡がりを抑え、その間隔を一定に保持できる。
【００１７】
スリーブ位置決め治具は、基礎型枠上に設置されて固定されるものであるため、その設置には基礎配筋の形態などによる制限を伴わない。また、その設置及び取り外しの作業が簡易なものとなる。したがって、スリーブの設置作業性が良好なものとなる。その結果、上下方向に延びる向きで基礎内に設けられるスリーブに関して、その設置の作業性を向上させ、しかも同スリーブを好適に支持することができることとなる。
【００１８】
なお、治具ベースとスリーブ支持部とは、例えば、一枚の金属板により一体で形成されること以外に、各々の別々の金属板により形成され、締結具により一体化される構成であってもよい。
【００１９】
第５の発明では、前記治具ベースは、前記スリーブ支持部を囲む枠形状をなし、前記一対の基礎型枠に架け渡される架け渡し部を有しており、前記治具ベースと前記スリーブ支持部とが複数のアーム部により連結されている。
【００２０】
上記構成によれば、治具ベースにおいて、架け渡し部をセパレータとして機能させることができる。また、治具ベースが枠形状をなし、かつ治具ベースとスリーブ支持部とが複数のアーム部により連結される構成であるため、一対の基礎型枠の上にスリーブ位置決め治具が設置されるとしても、コンクリート打設やその後の後作業について作業に支障が及ぶことを抑制できる。つまり、枠形状をなす治具ベースの内側においてスリーブ支持部及び複数のアーム部が設けられていない部分を開口部として確保でき、その開口部を使ってコンクリートの打設やコンクリート表面仕上げ等を実施できる。
【００２１】
第６の発明では、前記治具ベースと前記複数のアーム部との各連結部分において、その連結位置が前記治具ベースのフレーム長手方向に可変となっている。この場合、治具ベースと複数のアーム部との連結位置を治具ベースのフレーム長手方向に沿って変更することにより、治具ベースで囲まれた内側領域においてスリーブ支持部の位置を変更できる。これにより、スリーブの支持位置を容易に調整できる。
【００２２】
本発明のスリーブ位置決め治具は、基礎内に埋設されることなく、基礎を施工する都度繰り返し使用できるものである。この場合、上記のようにスリーブ位置の調整が可能であると、設計上のスリーブ位置が都度異なっていても、同一のスリーブ位置決め治具を使い回しできる。
【００２３】
第７の発明では、前記複数のアーム部は、各々にそのアーム長が可変である。この場合、アーム長を変更することにより、治具ベースで囲まれた内側領域においてスリーブ支持部の位置を変更できる。これにより、スリーブの支持位置を容易に調整できる。
【００２４】
第８の発明では、前記治具ベースと前記スリーブ支持部とは、その上面が同一面となっている平板材により構成されている。
【００２５】
スリーブ位置決め治具は、平板材でありかつ上面が同一面になっているため、基礎型枠においてスリーブ位置決め治具を設置した部位とスリーブ位置決め治具を設置していない部位とでは基礎型枠の上面部に段差が殆ど生じない。そのため、スリーブ位置決め治具を基礎型枠上に設置したとしても、それが邪魔になることはなく、従前の基礎設置工法を流用できる。仮にスリーブ位置決め治具の上に従前のセパレータを設置するにしても支障は生じない。
【００２６】
第９の発明は、アンカーボルトを挿入するアンカーホールが埋設される基礎に適用され、前記アンカーホールを吊り下げた状態で支持するためのアンカーホール支持部が一体に設けられている。
【００２７】
上記構成によれば、１つのスリーブ位置決め治具を使って、スリーブの支持とアンカーホールの支持とを実現でき、スリーブとアンカーホールとが埋設される基礎についてその施工時の作業性を大いに向上させることができる。
【００２８】
第１０の発明は、上記のスリーブ位置決め治具を用いた基礎の施工方法であり、基礎施工場所に前記一対の基礎型枠を設置し、その後、前記一対の基礎型枠の上に前記スリーブ位置決め治具を設置し、そのスリーブ位置決め治具の設置状態で、前記スリーブ支持部に支持されたスリーブの位置調整処理を行い、その後、前記一対の基礎型枠の間にコンクリートを打設することを特徴とする。
【００２９】
上記の基礎設置方法によれば、スリーブ位置決め治具を用いてスリーブの位置決めを行いつつ基礎の施工を行うことで、その作業性を大いに向上させることができる。
【図面の簡単な説明】
【００３０】
【図１】基礎型枠にスリーブ位置決め治具を取り付けた状態を示し、（ａ）は平面図、（ｂ）は（ａ）のＡ−Ａ線断面図。
【図２】スリーブ位置決め治具の構成を示す平面図。
【図３】建物について一階部分の間取りを示す図。
【図４】（ａ）はアルコーブ周辺部分における基礎伏図、（ｂ）は基礎型枠の配置を示す型枠配置図。
【図５】袖壁基礎部の構成を示し、（ａ）は平面図、（ｂ）は側面図。
【図６】図５（ａ）のＢ−Ｂ線断面図。
【図７】アンカー部用補強筋の構成を示す斜視図。
【図８】別の実施形態におけるスリーブ位置決め治具を示す図。
【図９】別の実施形態におけるスリーブ位置決め治具を示す図。
【発明を実施するための形態】
【００３１】
以下、本発明を具体化した一実施形態を図面に基づいて説明する。本実施形態では、複数の建物ユニットを組み合わせて構築されるユニット式建物の基礎について具体化しており、まずは、適用対象の建物について一階部分の間取りを図３を用いて説明する。なお周知のとおり、建物ユニットは、複数の柱と、その上端仕口部及び下端仕口部に接続される天井大梁及び床大梁とを直方体状に連結してなる躯体を有する構成となっている。
【００３２】
図３に示すように、建物１０には、居室やキッチン等からなる複数の屋内空間が形成されている。四辺からなる建物外周部のうち一辺には、建物１０の外壁を屋内側に後退させてアルコーブ（凹所）１１が形成されており、そのアルコーブ１１の屋内側に居室１２が形成されている。アルコーブ１１には、ユニット柱Ｈの外側に設けられる外壁から屋内側に後退させた位置にアルコーブ窓部１３が設けられており、アルコーブ窓部１３の左右両側であってアルコーブ１１の側方部分にはアルコーブ袖壁部１４が設けられている。アルコーブ袖壁部１４は、屋内方向に向けて斜めに配置されたアルコーブ壁面材１５によりアルコーブ空間から区画されて形成されており、アルコーブ壁面材１５の裏面側の空間部にユニット柱Ｈが収容される構成となっている。アルコーブ壁面材１５は、アルコーブ１１の屋外開放側に向けてアルコーブ空間が広がるように設置されている。
【００３３】
アルコーブ袖壁部１４の内部空間は、上下方向に延びる配管スペースとなっており、同内部空間には、屋根面を流れる雨水を回収し下方に導く雨樋等の配管１６が設けられている。その他、アルコーブ袖壁部１４にはその内部空間を利用して空調ダクトや換気ダクトが適宜設けられる。
【００３４】
次に、アルコーブ１１における基礎の構成について説明する。図４（ａ）は、アルコーブ周辺部分における基礎伏図である。図４（ａ）において、基礎２０は、大別してアルコーブ窓部１３の下方に設置されるアルコーブ基礎部２１と、アルコーブ袖壁部１４の下方に設置される袖壁基礎部２２と、アルコーブ以外において建物外壁部に沿って設置される外壁基礎部２３とを有している。本実施形態において、基礎２０は基本的に地中に埋設されるフーチング部とそのフーチング部から地上に立ち上げられた立ち上がり部とからなる鉄筋コンクリート造の布基礎構造をなす。なお、説明の便宜上、図４（ａ）には立ち上がり部にハッチングを付している。アルコーブ基礎部２１においてアルコーブ窓部１３よりも屋外側となる部分は、コンクリート上面が地上面（ＧＬ）と同じ高さレベルになる地中梁部２１ａとなっている。
【００３５】
基礎２０において袖壁基礎部２２には、配水管などを挿通配置するためのスリーブ（基礎埋設管）２５と、建物ユニットを基礎２０上に固定するためのアンカーボルトが挿入されるアンカーホール２６とが設けられている。スリーブ２５は上下方向に延びる向きで基礎２０に埋設され、その上端部分が基礎の天端よりも上方に突き出されている。このスリーブ２５には、又はスリーブ２５内に配設される配水管には、アルコーブ袖壁部１４内の配管１６が連結される。本実施形態では、スリーブ２５は、Ｌ字管にて構成されており、上下方向に延びる鉛直部分以外に水平方向に延びる水平部を有し、その水平部の先端が基礎側面などに開口する構成となっている。
【００３６】
アンカーホール２６はシース管よりなり、基礎の天端に開口させて設けられている。建物ユニットの設置に際しては、アンカーホール２６にモルタル等の充填材（グラウト）が充填された状態で、建物ユニットの柱や床大梁から下方に突出して設けられたアンカーボルトが差し入れられる。そしてその後、充填材が固化することで、アンカーボルトが基礎２０に対して強固に固定される。
【００３７】
また、図４（ｂ）は、（ａ）に示す基礎２０を構築する場合に使用される基礎型枠２７の配置を示す型枠配置図である。なお、図４（ｂ）には、基礎２０の立ち上がり部を形成するための型枠２７ａと、地中梁部２１ａを形成するための型枠２７ｂとが示されている。基礎型枠２７は、例えば金属板又は木板により構成されており、設置状態で型枠上端部が基礎設定高さ（立ち上がり部の天端位置）よりも上方となる縦寸法、すなわち基礎立ち上がり部の高さ寸法よりも大きい縦寸法を有するものである。基礎型枠２７は、基礎立ち上がり部の厚み方向の幅に相当する所定間隔を隔てて各一対ずつ対向配置され、その型枠間に生コンクリートが流し込まれて基礎２０が形成される。
【００３８】
次に、袖壁基礎部２２の構成について図５，図６を参照しつつさらに詳しく説明する。図５は、袖壁基礎部２２の構成を示す図面であり、（ａ）は平面図であり、（ｂ）は側面図である。また、図６は、図５（ａ）のＢ−Ｂ線断面図である。なお、図５，図６は基礎内部の構成を示すものであるが、便宜上、コンクリートのハッチングを省略している。
【００３９】
まずは配筋について説明すると、基礎配筋は、フーチング部分において略水平に設けられるベース配筋部３１と、そのベース配筋部３１に対して略垂直に立ち上げられた状態で連結されている立ち上がり配筋部３２とから構成されている。
【００４０】
ベース配筋部３１は、基礎２０（詳しくは、アルコーブ基礎部２１と外壁基礎部２３）の長手方向に平行に延びる複数のベース配力筋３３と、基礎２０の幅方向に延びて前記一対のベース配力筋３３に溶接等にて固定されている複数本のベース筋３４とを備えている。ベース筋３４は、基礎２０の長手方向に所定間隔をおいて複数設けられている。ベース配力筋３３及びベース筋３４は、一般に布基礎に用いられる異形鉄筋により構成されている。
【００４１】
立ち上がり配筋部３２は、基礎２０の長手方向に延びる横鉄筋としての上端主筋３６、腹筋３７及び下端主筋３８と、鉛直方向に延びる縦鉄筋としてのあばら筋３９とを備えている。具体的には、立ち上がり配筋部３２の上端には上端主筋３６が、下端には下端主筋３８が、それらの略中央には腹筋３７が、それぞれ平行となるように配設されている。そして、これら上端主筋３６、腹筋３７及び下端主筋３８は、あばら筋３９に溶接等によって固定されて間隔保持されている。あばら筋３９は、基礎２０の長手方向に所定間隔をおいて複数形成されている。これら上端主筋３６、腹筋３７、下端主筋３８及びあばら筋３９は、一般的に布基礎に用いられる異形鉄筋によって構成されている。立ち上がり配筋部３２は、下端主筋３８がベース配筋部３１のベース筋３４の上に載置された状態で設けられている。
【００４２】
また、袖壁基礎部２２には、上端主筋３６と腹筋３７との間となる高さ位置に、水平方向に延びるひび割れ防止筋４１が設けられている。ひび割れ防止筋４１は、袖壁基礎部２２のアルコーブ側の斜め部分に沿って配設されており、一端がアルコーブ基礎部２１のあばら筋３９に連結され、他端が外壁基礎部２３のあばら筋３９に連結されている。
【００４３】
袖壁基礎部２２には、アンカーホール２６を補強するアンカー部用補強筋４３が埋設されている。アンカー部用補強筋４３は、複数の鉄筋が組み合わされることにより立体形状で構成されており、袖壁基礎部２２においてアンカーホール２６を囲むようにして配置される。図７は、アンカー部用補強筋４３の構成を示す斜視図であり、図７によりアンカー部用補強筋４３の構成を説明する。
【００４４】
アンカー部用補強筋４３は剥落防止筋５１を有している。剥落防止筋５１は、基本構成が同じである一対の鉄筋材５２を結合させて構成されている。鉄筋材５２は、水平方向（基礎への設置状態での水平方向）に延びる剥落防止部５３及び水平部５４と、鉛直方向（基礎への設置状態での鉛直方向）に延びる鉛直部５５とを有する。各鉄筋材５２において、剥落防止部５３の両端には一対の水平部５４が形成され、それら各水平部５４の端部（剥落防止部５３とは逆側の端部）にはそれぞれ鉛直部５５が形成されている。剥落防止部５３と水平部５４とは水平面内で垂直に折り曲げられた状態で形成され、水平部５４と鉛直部５５とは鉛直面内で垂直に折り曲げられた状態で形成されている。そして、水平部５４同士を重ねた状態で互いに逆向きに両鉄筋材５２を組み合わせることにより剥落防止筋５１が構成されている。
【００４５】
ここで、剥落防止筋５１において、一対の剥落防止部５３と一対の水平部５４とは同一水平面内に存在し、それらにより囲まれて上部開口部が形成されている。この上部開口部は略正方形をなし、その上部開口部に挿通させてアンカーホール４２が配置される。
【００４６】
各鉄筋材５２の水平部５４は水平方向に（すなわち高さ方向に見て同じ高さ位置に）横並びで配置され、その水平部５４同士が結合金具５６により結合されている。また、各鉄筋材５２においては、各一対の鉛直部５５に架け渡して複数のひび割れ防止筋５８が固定されている。ひび割れ防止筋５８は鉛直部５５の長手方向に沿って所定間隔で設けられている。
【００４７】
また、アンカー部用補強筋４３には、一方の鉄筋材５２の鉛直部５５と他方の鉄筋材５２の鉛直部５５との間に架け渡した状態で、上端主筋３６に対する高さ位置を規定する位置調整バー５９が設けられている。位置調整バー５９は、上下方向に見て水平部５４に平行に設けられており、水平部５４と略同じ長さを有している。ひび割れ防止筋５８との関係で言えば、位置調整バー５９は、複数のひび割れ防止筋５８のうち最も高位側にあるひび割れ防止筋５８の端部に当接する位置に設けられている。
【００４８】
図６において、アンカー部用補強筋４３は、上端主筋３６に係合された状態で設置されている。例えば、袖壁基礎部２２において上端主筋３６が一対の鉛直部５５の内側に配置され、かつアンカーホール２６を挿通させた状態で設置されている。
【００４９】
次に、袖壁部分の基礎２０においてスリーブ２５の埋設位置を定めるためのスリーブ位置決め治具６０について説明する。図１は、基礎型枠２７にスリーブ位置決め治具６０を取り付けた状態を示す図面であり、（ａ）は平面図、（ｂ）は（ａ）のＡ−Ａ線断面図である。また、図２は、スリーブ位置決め治具６０の構成を示す平面図である。
【００５０】
図２に示すように、スリーブ位置決め治具６０は、基礎型枠２７に対して固定されるベースフレーム部６１と、スリーブ２５を保持するためのスリーブ保持部６２とを有しており、そのベースフレーム部６１とスリーブ保持部６２とが複数のアーム部６３により連結されている。スリーブ位置決め治具６０のこれら各部位６１〜６３は、一枚の金属板（平板材）が例えばレーザ加工により切り抜き成形されてなるものであり、各部位６１〜６３の上面は同一面にて構成されている。ベースフレーム部６１が治具ベースに相当し、スリーブ保持部６２がスリーブ支持部に相当する。
【００５１】
ベースフレーム部６１は、基礎型枠２７の設置レイアウトに合う形状をなす枠状に成形されており、本実施形態では特に、建物外壁面に沿う向きに延び互いに直交する二方向に設けられる直交枠部６５と、これらに斜めに交わる斜め枠部６６とを有する。ベースフレーム部６１の各枠部６５，６６には、各々複数個を一組とする取付孔６７が形成されている。各組複数の取付孔６７は、それぞれ所定間隔で形成された孔からなる孔群となっており、各組ごとにいずれかの取付孔６７にボルト等の締結具が挿入されることにより、スリーブ位置決め治具６０が基礎型枠２７に装着されるようになっている。この場合、各組複数の取付孔６７のうち、いずれを用いて治具締結されるか、すなわちどの取付孔６７と型枠側の孔とでボルト締結されるかにより、水平方向における治具位置が変更できるようになっている。
【００５２】
なお、各組複数の取付孔６７は、ベースフレーム部６１における基礎型枠２７との締結位置を可変にできる孔部であればよく、ベースフレーム部６１の各辺の長手方向に延びる長孔が形成されていてもよい。
【００５３】
また、スリーブ保持部６２はリング状をなし、その中央部にはスリーブ挿通孔６８が形成されている。スリーブ挿通孔６８は、外径が異なる複数のスリーブが挿入可能であり、かつその孔内でのスリーブの移動が可能となるようにその内径寸法が設定されており、例えば直径２００ｍｍ程度の円形孔となっている。スリーブ保持部６２には、スリーブ挿通孔６８に向けて延びる複数の保持金具６９が設けられている。保持金具６９は、図１（ｂ）に示すように、スリーブ保持部６２上に起立して設けられる起立部６９ａと、先端部がスリーブ挿通孔６８の中心を向くようにして起立部６９ａに支持されたネジ６９ｂとを有している。ネジ６９ｂは、その先端部によりスリーブ２５の外周面を押圧保持するものであり、ネジ６９ｂのスリーブ挿通孔６８への突出量を可変とすることにより、スリーブ保持部６２にて保持されるスリーブ径が調整できるようになっている。
【００５４】
アーム部６３は、スリーブ保持部６２を中心として十字状に延びる向きで形成されている。
【００５５】
ベースフレーム部６１の内側であって、スリーブ保持部６２とアーム部６３とを除く部位は開口となっており、その開口を通じて、コンクリートの流し込み（打設）や打設後のコンクリートの仕上げ処理等が可能となっている。
【００５６】
また、ベースフレーム部６１の内側には、平面視でアンカーホール２６の設置位置となる位置を横切るようにして連結部７１が設けられており、その連結部７１には孔部７２が形成されている。図１（ｂ）に示すように、孔部７２には、アンカーホール２６を吊り下げた状態で支持するための支持金具７３が設けられている。
【００５７】
上記構成のスリーブ位置決め治具６０は、図１（ａ）（ｂ）に示すように基礎型枠２７上に載置した状態で使用される。この場合、ベースフレーム部６１が基礎型枠２７の上面に載置され、ボルト等によりベースフレーム部６１が基礎型枠２７に対して固定される。この状態ではベースフレーム部６１が一対の基礎型枠２７に架け渡された状態となる。スリーブ２５の水平方向の位置は、ベースフレーム部６１の各組複数の取付孔６７のうちいずれを用いるかにより調整可能である。また、スリーブ保持部６２に設けられた保持金具６９によってもスリーブ２５の位置調整が可能である。保持金具６９は、スリーブ２５の高さ位置を調整する際にも利用される。すなわち、保持金具６９のネジ６９ｂによるスリーブ外周面の押圧を緩めた状態ではスリーブ２５の移動が可能であり、そのスリーブ２５の移動によりスリーブ２５の高さ位置が調整できる。
【００５８】
ここで、図１（ｂ）に示すように、対向配置された基礎型枠２７の間においては、基礎型枠２７の上端よりも下方位置を表面高さ位置としてコンクリートが流し込まれる。したがって、スリーブ位置決め治具６０は、コンクリート内に埋設されるものではなく、コンクリート打設後には取り外して繰り返しの使用が可能となっている。かかる場合、スリーブ保持具がコンクリート内に埋設される他技術の構成とは異なり、スリーブ保持という機能を果たしつつもコンクリート内に混入する異物の量を極力減らすことができることから、コンクリートの品質向上にも寄与できる。
【００５９】
スリーブ位置決め治具６０は、対向配置された基礎型枠２７に架け渡されるように装着されるため、このスリーブ位置決め治具６０（特にベースフレーム部６１）はコンクリート打設後において型枠間の拡がりを抑制するセパレータの機能を果たすことになる。
【００６０】
次に、基礎施工の作業手順について説明する。
【００６１】
建物建築現場において基礎施工場所に鉄筋を配置し、その後、鉄筋を囲むようにして基礎型枠２７を設置する。その後、基礎型枠２７の上にスリーブ位置決め治具６０を装着する。この場合、スリーブ位置決め治具６０にはスリーブ２５があらかじめ取り付けられており、上述のとおりスリーブ２５の水平方向及び高さ方向の位置調整が行われる。なお、スリーブ位置決め治具６０によるアンカーホール２６及びアンカー部用補強筋４３の設置も併せて行われる。
【００６２】
その後、基礎型枠２７の間の空間部（コンクリート打設域）にコンクリートが流し込まれ、攪拌による空気抜き処理やコンクリート表面のならし処理などの仕上げ処理が行われる。そして、所定期間、コンクリートが養生される。その後、基礎型枠２７からスリーブ位置決め治具６０が取り外されるとともに、基礎型枠２７の取り外しが行われる。
【００６３】
以上詳述した本実施形態によれば、以下の優れた効果が得られる。
【００６４】
本実施形態における基礎施工方法によれば、スリーブ位置決め治具６０が基礎型枠２７の上に設置され、かつスリーブ２５において基礎２０から突出する部分がスリーブ位置決め治具６０により支持されるため、基礎２０の施工に際し、基礎内（コンクリート内）にスリーブ位置決め治具６０を埋設せずに、スリーブ２５の埋設を行うことができる。この場合、仮にスリーブ保持具を基礎内に埋設する施工方法では、コンクリートの打設により同保持具の位置ずれが生じる可能性があり、位置ずれが生じたことの確認も不可能であるが、基礎型枠２７の上にスリーブ位置決め治具６０を設置する施工方法によれば、位置ずれの発生を抑制できる。また、仮に位置ずれが発生してもそれを容易に把握できるため、所望の位置への修正が可能となる。その結果、基礎２０の施工に際し、スリーブ２５の設置を容易かつ適正に実施することができる。
【００６５】
スリーブ位置決め治具６０は、基礎型枠２７に対して固定されるベースフレーム部６１と、そのベースフレーム部６１に一体化されたスリーブ保持部６２とを有するものであるため、基礎型枠２７に対するスリーブ２５の位置決めを容易かつ確実に行うことができる。また、ベースフレーム部６１は、一対の基礎型枠２７に対してそれぞれ固定されるため、そのベースフレーム部６１がセパレータの機能を有することになり、コンクリート打設後において一対の基礎型枠２７の拡がりを抑え、その間隔を一定に保持できる。
【００６６】
スリーブ位置決め治具６０は、基礎型枠２７上に設置されて固定されるものである（鉄筋に対して固定されるものでない）ため、その設置には基礎配筋の形態などによる制限を伴わない。また、その設置及び取り外しの作業が簡易なものとなる。したがって、スリーブの設置作業性が良好なものとなる。その結果、上下方向に延びる向きで基礎２０内に設けられるスリーブ２５に関して、その設置の作業性を向上させ、しかも同スリーブ２５を好適に支持することができることとなる。
【００６７】
スリーブ位置決め治具６０をセパレータとしても機能させることができるため、セパレータの設置個数を減らすことができる。
【００６８】
スリーブ位置決め治具６０は、平板材でありかつ上面が同一面になっているため、基礎型枠２７においてスリーブ位置決め治具６０を設置した部位と同治具６０を設置していない部位とでは基礎型枠２７の上面部に段差（高低差）が殆ど生じない。そのため、スリーブ位置決め治具６０を基礎型枠２７上に設置したとしても、それが基礎の施工作業に邪魔になることはなく、従前の基礎設置工法を流用できる。仮にスリーブ位置決め治具６０の上に従前のセパレータを設置するにしても支障は生じない。
【００６９】
スリーブ位置決め治具６０には、アンカーホール２６を吊り下げた状態で支持するための支持金具７３が一体に設けられているため、１つのスリーブ位置決め治具６０を使って、スリーブ２５の支持とアンカーホール２６の支持とを実現できる。したがって、スリーブ２５とアンカーホール２６とが埋設される基礎についてその施工時の作業性を大いに向上させることができる。
【００７０】
［他の実施形態］
本発明は上記実施形態の記載内容に限定されず、例えば次のように実施されてもよい。
【００７１】
・スリーブ位置決め治具を図８（ａ）のように構成してもよい。図８（ａ）のスリーブ位置決め治具８０は、基礎型枠２７に対して固定されるベースフレーム部８１と、スリーブ２５を保持するためのスリーブ保持部８２とを有しており、そのベースフレーム部８１とスリーブ保持部８２とが複数のアーム部８３により連結されている。本事例では、ベースフレーム部８１は平板よりなり平面視で長方形状をなしている。アーム部８３は、スリーブ保持部８２から延びる内側アーム部８３ａと、その内側アーム部８３ａに対して伸縮方向に移動可能な外側アーム部８３ｂとからなり、外側アーム部８３ｂにおいて内側アーム部８３ａとは反対側には、ベースフレーム部８１に対して連結される連結部８３ｃが設けられている。内側アーム部８３ａに対して外側アーム部８３ｂを伸縮方向に移動させることにより、各アーム部８３のアーム長が調整できるようになっている。
【００７２】
また、ベースフレーム部８１には、各フレーム辺の長手方向に沿って溝部８１ａが形成されている。溝部８１ａは、連結部８３ｃに設けられた突起部や連結部８３ｃに挿通されたボルト（いずれも図示略）に係合するものであり、この溝部８１ａに沿って連結部８３ｃとの連結位置が可変になっている。この場合、連結部８３ｃが溝部８１ａに沿って移動することにより、ベースフレーム部８１の各フレーム辺に沿って連結部８３ｃの位置が変更できる。
【００７３】
上記構成によれば、ベースフレーム部８１で囲まれた内側領域においてスリーブ保持部８２の位置を様々に変更できる。これにより、スリーブ２５の支持位置を容易に調整できる。本実施形態のスリーブ位置決め治具８０は、基礎２０内に埋設されることなく、基礎２０を設置する都度繰り返し使用できるものである。この場合、上記のようにスリーブ位置の調整が可能であると、設計上のスリーブ位置が都度異なっていても、同一のスリーブ位置決め治具を使い回しできる。
【００７４】
・スリーブ位置決め治具を図８（ｂ）のように構成してもよい。図８（ｂ）のスリーブ位置決め治具９０は、基礎型枠２７に対して固定される矩形枠状の外側フレーム９１と、これとは別体で構成される十字状の内側プレート９２とを有しており、それらが連結により一体化されている。これら各部材９１，９２はいずれも平板状の材料にて構成されている。内側プレート９２は、中央部に設けられたスリーブ保持部９３と、そのスリーブ保持部９３から十字方向に延びるアーム部９４とを有しており、各アーム部９４には、複数一組の孔部９４ａが形成されている（長孔でも可）。外側フレーム９１には、各フレーム辺の長手方向に沿って溝部９１ａが形成されている。溝部９１ａは、アーム部９４の孔部９４ａ（複数一組の孔部のいずれかの孔部）に挿通されたボルト（図示略）に係合するものであり、この溝部９１ａに沿って内側プレート９２の位置が可変になっている。
【００７５】
上記構成によれば、外側フレーム９１で囲まれた内側領域においてスリーブ保持部９３の位置を様々に変更できる。これにより、スリーブ２５の支持位置を容易に調整できる。
【００７６】
ここで、外側フレーム９１と内側プレート９２とは、いずれも平板状のプレートを成形しただけの単純形状のものであり、大きさや形を変えて各々複数用意しておくとよい。例えば、二辺の幅寸法Ｌ１，Ｌ２が各々異なる複数の外側フレーム９１を用意しておくとともに、二方向の幅寸法Ｌ３，Ｌ４が各々異なる複数の内側プレート９２を用意しておく。これにより、外側フレーム９１と内側プレート９２との組み合わせにより、種々の大きさ及び形の基礎型枠に対応するスリーブ位置決め治具を提供できる。
【００７７】
・スリーブ位置決め治具のベースフレーム部は、基礎型枠２７の設置レイアウト（平面形状）や型枠間隔等に合わせたものでなくてもよい。例えば、図９に示すスリーブ位置決め治具１００のように、ベースフレーム部１０１とスリーブ保持部１０２とアーム部１０３とを有し、ベースフレーム部１０１において基礎型枠２７との連結部に複数の孔部１０１ａを有するものを考える。かかる場合において、ベースフレーム部１０１が、基礎型枠２７の型枠間隔よりも幅広であって、基礎型枠２７からはみ出して設置されるものであってもよい。なお、図９の構成では、スリーブ保持部１０２が四角形状なし、アーム部１０３が一字状に設けられている。
【００７８】
ちなみに、治具ベースとしてのベースフレーム部は、対向配置される一対の基礎型枠２７に架け渡して設けられるものであれば、その形状は任意であり、円形状や三角形状などであってもよい。
【００７９】
・例えば、図２に示すスリーブ位置決め治具６０において、スリーブ保持部６２に設けられた保持金具６９を有していない構成であってもよい。
【００８０】
・例えば、図２に示すスリーブ位置決め治具６０において、ベースフレーム部６１とスリーブ保持部６２と複数のアーム部６３とを有し、スリーブ保持部６２にスリーブ挿通孔６８が形成されている構成に代えて、ベースフレーム部６１と同じ外形のベースプレートを有し、そのベースプレートにスリーブ挿通孔６８が形成されている構成（スリーブ挿通孔６８以外に開口を有していない構成）としてもよい。
【００８１】
・上記実施形態では、スリーブ位置決め治具を平板状の金属板により構成したが、これに限定されず、棒状の材料を用いて構成することも可能である。また、ベースフレーム部（治具ベース）を金属製、スリーブ保持部（スリーブ支持部）とアーム部とを合成樹脂製にする等、異なる材質の材料を組み合わせて構成することも可能である。
【符号の説明】
【００８２】
１０…建物、２０…基礎、２５…スリーブ、２６…アンカーホール、２７…基礎型枠、６０…スリーブ位置決め治具、６１…ベースフレーム部（治具ベース）、６２…スリーブ保持部（スリーブ支持部）、６３…アーム部、６８…スリーブ挿通孔、７３…支持金具（アンカーホール支持部）、８０…スリーブ位置決め治具、８１…ベースフレーム部（治具ベース）、８２…スリーブ保持部（スリーブ支持部）、８３…アーム部、９０…スリーブ位置決め治具、９１…外側フレーム（治具ベース）、９２…内側プレート、９３…スリーブ保持部（スリーブ支持部）、９４…アーム部。
【図１】
2011246874.tif 000003
【図２】
2011246874.tif 000004
【図３】
2011246874.tif 000005
【図４】
2011246874.tif 000006
【図５】
2011246874.tif 000007
【図６】
2011246874.tif 000008
【図７】
2011246874.tif 000009
【図８】
2011246874.tif 000010
【図９】
2011246874.tif 000011